(57)【要約】【課題】軽量化と製造コストの低減を図ることができるスツールを提供する。【解決手段】着座者が座る着座部２１及び着座部２１の下方に設けられた芯材部２２を有する本体部２を備えるスツール１、１００であって、芯材部２２は、発泡スチロール材で形成された第一の分割体２３ａと、発泡スチロール材で形成された第二の分割体２３ｂとを含む。【選択図】図２
2015085052.tif 000002
【特許請求の範囲】
【請求項１】
着座者が座る着座部及び前記着座部の下方に設けられた芯材部を有する本体部を備えるスツールであって、
前記芯材部は、発泡スチロール材で形成された第一の分割体と、発泡スチロール材で形成された第二の分割体とを含むことを特徴とするスツール。
【請求項２】
前記芯材部の下部を保護する硬質材料の保護部材によって前記分割体同士が挟持されていることを特徴とする請求項１に記載のスツール。
【請求項３】
前記保護部材の少なくとも２箇所が前記芯材部の下部から上方に延在させた側壁部とされており、前記側壁部の上方に把手が設けられていることを特徴とする請求項２に記載のスツール。
【請求項４】
前記芯材部の内部が凹形状に形成されていることを特徴とする請求項１から請求項３のいずれか１項に記載のスツール。
【請求項５】
前記凹形状に椅子部品が内蔵されていることを特徴とする請求項４に記載のスツール。
【発明の詳細な説明】
【技術分野】
【０００１】
本発明は、公共施設や待合室等の室内空間に設置して使用されるスツールに関する。
【背景技術】
【０００２】
従来から、着座者が座る着座部を有するスツールが知られている（例えば、特許文献１参照）。このようなスツールは、例えば公共施設や待合室等の室内空間の任意の場所に移動して着座するために使用されている。スツールは背凭れがなく、持ち運びが容易であるため、任意の場所に移動させるためには便利な椅子である。
【０００３】
また、上記スツールは、室内空間内を自由に移動して使用されるため、スツールの重量が重いと室内空間の移動が困難となる。そこで、重量を軽くして移動を容易とするために発泡スチロールで形成することが考えられる（例えば、特許文献１参照）。
【先行技術文献】
【特許文献】
【０００４】
【特許文献１】特開平６−２６２９０２号公報
【特許文献２】特開２００７−０００３１２号公報
【発明の概要】
【発明が解決しようとする課題】
【０００５】
ところで、上記特許文献１に記載された椅子のように、重量を軽くするために発泡スチロールでスツールを構成したとしても、室内空間を自由に移動して使用するには重量が重くなり、重量を軽くするためにスツールの内部に凹部を形成すると凹部の形成にともない製造コストが高くなるという問題があった。
【０００６】
そこで、本発明の課題は、軽量化と製造コストの低減を図ることができるスツールを提供することにある。
【課題を解決するための手段】
【０００７】
上記課題を解決するために本願請求項１に記載した本発明のスツールは、着座者が座る着座部及び前記着座部の下方に設けられた芯材部を有する本体部を備えるスツールであって、前記芯材部は、発泡スチロール材で形成された第一の分割体と、発泡スチロール材で形成された第二の分割体とを含むことを特徴とする。
【０００８】
請求項２に記載した本発明のスツールは、請求項１に記載のスツールにおいて、前記芯材部の下部を保護する硬質材料の保護部材によって前記分割体同士が挟持されていることを特徴とする。
【０００９】
請求項３に記載した本発明のスツールは、請求項２に記載のスツールにおいて、前記保護部材の少なくとも２箇所が前記芯材部の下部から上方に延在させた側壁部とされており、前記側壁部の上方に把手が設けられていることを特徴とする。
【００１０】
請求項４に記載した本発明のスツールは、請求項１から請求項３のいずれか１項に記載のスツールにおいて、前記芯材部の内部が凹形状に形成されていることを特徴とする。
【００１１】
請求項５に記載した本発明のスツールは、請求項４に記載のスツールにおいて、前記凹形状に椅子部品が内蔵されていることを特徴とする。
【００１２】
請求項１に記載した本発明のスツールによれば、芯材部が発泡スチロール材で形成された第一の分割体と、発泡スチロール材で形成された第二の分割体とを含むため、芯材部の内部の形状を複雑化させてスツールの軽量化を図ることができる。
【００１３】
また、芯材部が発泡スチロール材の分割体で構成されているため、例えば、一種類の金型で同型の二つの分割体を形成し、分割体同士を接合して芯材部を形成することができるため、スツールの製造コストを低減させることができる。
【００１４】
請求項２に記載した本発明のスツールによれば、芯材部の下部を保護する硬質材料の保護部材によって分割体同士を挟持しているため、分割体同士を挟持しつつ、外部からの衝突が多い芯材部の下部を保護してスツールの美観ならびに強度を長期に保つことが出来る。
【００１５】
請求項３に記載した本発明のスツールによれば、保護部材の少なくとも２箇所が芯材部の下部から上方に延在させた側壁部の上方に把手が設けられているため、スツールの移動の際に応力がかかる把手の強度を増加させることができる。また上方に把手を設けることで、スツールを持ち上げた際のバランスを保ちやすくなる。
【００１６】
請求項４に記載した本発明のスツールによれば、芯材部の内部が凹形状に形成されているため、凹形状によりさらにスツールの軽量化を図ることができる。
【００１７】
請求項５に記載した本発明のスツールによれば、凹形状に椅子部品が内蔵されているため、芯材部の内部に形成された凹形状の空間に椅子部品を組み込むことでスツールを小型化することができる。
【発明の効果】
【００１８】
本発明によれば、軽量化と製造コストの低減を図ることができるスツールを提供することができる。
【図面の簡単な説明】
【００１９】
【図１】本発明の実施形態に係るスツールを示す斜視図である。
【図２】本発明の実施形態に係るスツールを示す分解斜視図である。
【図３】本発明の実施形態に係るスツール本体部の張り構造を示す斜視図である。
【図４】本発明の実施形態に係る芯材部の内部の形状を示す斜視図である。
【図５】本発明の実施形態に係る保護部材と椅子部品を示す斜視図である。
【図６】本発明の他の実施形態に係るスツールの転倒防止部を示す側面図及び一部断面図である。
【図７】従来のスツールの転倒状態を示す側面図である。
【図８】本発明の他の実施形態に係るスツールの転倒が防止された状態を示す側面図である。
【発明を実施するための形態】
【００２０】
以下、本発明の実施形態について図面を参照して説明する。はじめに、図１から図３を参照して本発明の実施形態に係るスツールの概略構成について説明する。
【００２１】
なお、図１は、本発明の実施形態に係るスツールの概略を示す斜視図である。図２は、本発明の実施形態に係るスツールの分解斜視図である。図３は、本発明の実施形態に係るスツール本体部の張り構造を示す斜視図である。
【００２２】
以下、本発明のスツールの一例として、公共施設や待合室等の室内空間で任意の場所に移動して着座するために使用されるスツールの場合について説明する。
【００２３】
［１．スツールの概略構成］
図１から図３に示すように、本発明の実施形態に係るスツール１は、上面視すると楕円形状を有するスツール本体部２と、スツール本体部２の一部を保護する保護部３と、スツール本体部２の下部に設けられたベース部４とから略構成されている。
【００２４】
スツール本体部２は発泡スチロールで形成されており、着座者が座る着座部２１と、着座部２１の下方（矢印Ｌ方向）に設けられた芯材部２２とを有している。
【００２５】
着座部２１は、着座者の座り心地を良くするために、内部にクッション材としてのスラブウレタンＵＬが配置されており、このスラブウレタンＵＬの表面には布ＣＬが張られている（図３参照）。
【００２６】
芯材部２２は、上面視すると楕円形状を有しており、第一の分割体２３ａと、第二の分割体２３ｂとの二分割の分割体２３で構成されている。
【００２７】
第一の分割体２３ａと第二の分割体２３ｂは、同じ金型（図示省略）を使用することにより形成されているため、第一の分割体２３ａと第二の分割体２３ｂは同形状に構成されている。
【００２８】
この、第一の分割体２３ａと第二の分割体２３ｂには、内部に形成された空気孔２４と、第一の分割体２３ａと第二の分割体２３ｂとを接合する凸型接合ボス２５と凹型接合ボス２６がそれぞれ形成されている。分割体２３の詳細は図４を参照して後述する。
【００２９】
また、芯材部２２は、後述する保護カバー３１ａ、３１ｂが当接する保護カバー当接部２７ａと、保護カバー３１ａ、３１ｂが当接せず着座部２１に着座した着座者の脹脛が接触する脚接触部２７ｂとを有しており、この脚接触部２７ｂは、着座者の座り心地を良くするために、内部にクッション材としてのスラブウレタンＵＬが配置されており、このスラブウレタンＵＬの表面には布ＣＬが張られている（図３参照）。
【００３０】
保護部３は、芯材部２２の下部（矢印Ｌ方向）を外部の衝撃から保護する保護カバー３１と、保護部３の上方（矢印Ｕ方向）に設けられた把手３２と、芳香を外部に放出するアロマユニット３３とを有している。保護部３の詳細は図５を参照して後述する。
【００３１】
保護カバー３１は、第一の保護カバー３１ａと、第二の保護カバー３１ｂとの分割体で構成されている。
【００３２】
ベース部４は、合板で形成されたベース板４１と、ベース板４１に形成された吸気孔４２と、スツール１の移動を容易にする低床キャスター４３と、低床キャスター４３が取り付けられるキャスター孔４４が形成されている。
【００３３】
［２．芯材部の内部の構成］
次に、図４を参照して、芯材部の内部の構成について説明する。図４は、本発明の実施形態に係る芯材部の内部の形状を示す斜視図である。なお、図４では、第二の分割体２３ｂの内部を図示して説明するが、上述したように、第一の分割体２３ａと第二の分割体２３ｂは同形状に構成されているため、第一の分割体２３ａの内部は第二の分割体２３ｂの内部と同様の形状である。
【００３４】
上述したように、第二の分割体２３ｂには、内部に形成された空気孔２４と、第一の分割体２３ａと第二の分割体２３ｂとを接合する凸型接合ボス２５と凹型接合ボス２６が形成されている。
【００３５】
図４に示すように、空気孔２４は凹形状を有し、上下方向（矢印Ｌ方向又は矢印Ｕ方向）に形成され着座部２１に着座者が座った際に空気孔２４の空気が上方（矢印Ｕ方向）から下方（矢印Ｌ方向）へ流れ、また、着座部２１に座った着座者が立った際に吸気孔４２から入った空気が上方（矢印Ｕ方向）へ流れる空気孔２４ａと、椅子部品としての把手３２や低床キャスター４３、アロマユニット３３が内蔵される空気孔２４ｂとを有している。
【００３６】
第二の分割体２３ｂに凸形状に形成された凸型接合ボス２５は、第１の分割体２３ａと第二の分割体２３ｂを接合した際に第一の分割体２３ａに形成された凹型接合ボス２６に嵌め込まれる。
【００３７】
また、第二の分割体２３ｂに凹形状に形成された凹型接合ボス２６は、第１の分割体２３ａと第二の分割体２３ｂを接合した際に第一の分割体２３ａに形成された凸型接合ボス２５が嵌め込まれる。
【００３８】
［３．保護部の構成］
次に、図５を参照して、本発明の実施形態に係る保護部の構成について説明する。図５は、本発明の実施形態に係る保護部と椅子部品を示す斜視図である。なお、図５では、第二の保護カバー３１ｂを図示して説明する。
【００３９】
上述したように、保護部３は、芯材部２２の下部（矢印Ｌ方向）を外部の衝撃から保護する保護カバー３１と、保護部３の上方（矢印Ｕ方向）でスツール本体部２の長手方向（図４の矢印ＨＤ方向）に設けられた把手３２と、芳香を外部に放出するアロマユニット３３とを有している。
【００４０】
保護カバー３１は硬質材料（例えば、ＡＢＳ樹脂）で形成されており、図５に示すように、芯材部２２の下部（矢印Ｌ方向）であって楕円形状の外周面側を保護する外周部３１ｃと、外周部３１ｃの左右（図４の矢印ＨＤ方向の一方及び他方）２箇所から上方（矢印Ｕ方向）に延在させた側壁部３１ｄとを有している。
【００４１】
外周部３１ｃは、接合した分割体２３を保護カバー３１により挟持すると、芯材部２２の下部（矢印Ｌ方向）であって楕円形状の外周にわたって位置し、発泡スチロールで形成された芯材部２２を外部の衝撃から保護する。
【００４２】
側壁部３１ｄには、上方（矢印Ｕ方向）に把手３２が取り付けられる把手取付孔３４と、アロマユニット３３が取り付けられるユニット取付孔３５が形成されている。
【００４３】
把手３２は、硬質材料で形成された側壁部３１ｄの内側（矢印ＩＳ方向）からビス留めすることにより把手取付孔３４に取り付けられ、凹形状を有する空気孔２４ｂに内蔵される。
【００４４】
アロマユニット３３は、側壁部３１ｄの外側（矢印ＯＳ方向）から取り付けられるユニット本体３６と、ユニット本体３６に設けられたラッチ受け座３７と、ユニット本体３６が収容されるユニット受けカバー３７と、ユニット受けカバー３７に設けられてラッチ受け座３７と当接するプッシュラッチ３９とを有している。
【００４５】
このアロマユニット３３は、内側（矢印ＩＳ方向）から取り付けられるユニット受けカバー３７にユニット本体３６を収容し、ユニットカバー３７をビス留めすることによりユニット取付孔３５に取り付けられ、凹形状を有する空気孔２４ｂに内蔵される。
【００４６】
［４．組み立て方法］
次に、図１から図５を参照して、本発明の実施形態に係るスツールの組み立て方法について説明する。
【００４７】
はじめに、凸型接合ボス２５を凹型接合ボス２６に嵌め込むことにより第一の分割体２３ａと第二の分割体２３ｂとを接合して発泡スチロールのスツール本体部２を形成する。
【００４８】
次に、着座部２１と脚接触部２７ｂにクッション材としてのスラブウレタンＵＬを接着して配置し、スラブウレタンＵＬの表面にミシンで袋状に縫った布ＣＬを被せる。そして、スツール本体部２の芯材２２の下方（矢印Ｌ方向）で布ＣＬをステープラーで止めることによりスツール本体部２の表面に布ＣＬを張る（図３参照）。
【００４９】
次に、布ＣＬを張ったスツール本体部２に把手３２やアロマユニット３３が内蔵される空気孔２４ｂに対応する位置に切り込みを入れてベース板４１に接着する。
【００５０】
次に、第一の保護カバー３１ａと第二の保護カバー３１ｂで芯材部２２の分割体２３を挟持することにより、布ＣＬを張ったスツール本体部２に保護カバー３１と取り付ける。スツール本体部２に保護カバー３１を取り付けると、上述した切り込みから把手取付孔３４に把手３２が取り付けられ、切り込みからユニット取付孔３５にアロマユニット３３が取り付けられる。
【００５１】
そして、芯材部２２の分割体２３を挟持した第一の保護カバー３１ａと第二の保護カバー３１ｂをベース板にビス留めし、ベース板４２に低床キャスター４３を取り付ける。
【００５２】
［５．他の実施形態］
次に、図６から図８を参照して、本発明の他の実施形態に係るスツールについて説明する。図６は、本発明の他の実施形態に係るスツールの転倒防止部を示す側面図及び一部断面図である。
【００５３】
また、図７（ａ）は、従来のスツールの概略を示す側面図である。図７（ｂ）は、従来のスツールの転倒状態を示す側面図である。図８（ａ）は、本発明の他の実施形態に係るスツールの側面図である。図８（ｂ）は、本発明の他の実施形態に係るスツールの転倒が防止された状態を示す側面図である。
【００５４】
なお、本発明の他の実施形態に係るスツールは、本発明の実施形態に係るスツールと略同様の構成等を有するため、同様の構成に関しては説明を省略するものとする。また、実施形態に係るスツールと同様の構成要素には同一の符号を付して説明する。
【００５５】
図６に示すように、本発明の他の実施形態に係るスツール１００は、保護カバー３１に転倒防止リブ１０１が形成されている。転倒防止リブ１０１は、床面ＦＬに向かって突出しており、楕円形状の芯材部２２の外周にわたって形成されている。
【００５６】
図７（ａ）に示すように、転倒防止リブ１０１が設けられていない従来のスツール５０では、図７（ｂ）に示すように、下向き（矢印Ｌ方向）に外力が作用すると、キャスター５１を支点としてスツール５０が矢印Ｆ方向に回動して転倒する危険があった。
【００５７】
そこで、本発明の他の実施形態に係る下向きに外力が作用してもスツール１００の転倒を防止するため、図８（ａ）に示すように、保護カバー３１に転倒防止リブ１０１が形成されている。
【００５８】
このため、図８（ｂ）に示すように、下向き（矢印Ｌ方向）に外力が作用すると、低床キャスター４３を支点としてスツール１００が矢印Ｆ方向に移動するが、転倒防止リブ１０１が床面ＦＬに当接するため、スツール１００の転倒を防止する。
【００５９】
［６．作用効果］
このようにして、本発明の実施形態に係るスツール１、１００は、着座者が座る着座部２１及び着座部２１の下方（図２の矢印Ｌ方向）に設けられた芯材部２２を有する本体部（スツール本体部）２を備えるスツール１、１００であって、芯材部２２は、発泡スチロール材で形成された第一の分割体２３ａと、発泡スチロール材で形成された第二の分割体２３ｂとを含む。
【００６０】
また、本発明の実施形態に係るスツール１、１００は、芯材部２２の下部（図２の矢印Ｌ方向）を保護する硬質材料の保護部材（保護カバー３１ａ、３１ｂ）によって分割体２３同士が挟持されている。
【００６１】
さらに、本発明の実施形態に係るスツール１、１００は、保護部材（保護カバー３１ａ、３１ｂ）の少なくとも２箇所が芯材部２２の下部から上方（図２の矢印Ｕ方向）に延在させた側壁部３１ｄとされており、側壁部３１ｄの上方に把手３２が設けられている。
【００６２】
また、本発明の実施形態に係るスツール１、１００は、芯材部２２の内部が凹形状に形成されている。
【００６３】
さらに、本発明の実施形態に係るスツール１、１００は、凹形状に椅子部品（把手３２、低床キャスター４３）が内蔵されている。
【００６４】
そして、本発明の実施形態に係るスツール１、１００によれば、芯材部２２が発泡スチロール材で形成された第一の分割体２３ａと、発泡スチロール材で形成された第二の分割体２３ｂとを含むため、芯材部２２の内部の形状を複雑化させて（例えば凹凸形状を形成して）スツール１、１００の軽量化を図ることができる。
【００６５】
また、芯材部２２が発泡スチロール材の分割体２３で構成されているため、例えば、一種類の金型で同型の二つの分割体２３を形成し、分割体２３同士を接合して芯材部２２を形成することができるため、スツール１、１００の製造コストを低減させることができる。
【００６６】
つまり、芯材部を発泡スチロール材で一体形成するとスツールの重量が重くなる。また、発泡スチロール材で一体形成した芯材部の内部に凹形状を形成して軽量化を図ろうとしても、芯材部の金型が複雑化して製造コストが高くなる。しかし、本発明の実施形態に係るスツール１、１００のように、一種類の金型で同型の二つの分割体２３を形成することにより、一種類の金型で芯材部２２の内部を複雑化させてスツール１、１００を軽量にすることができる。
【００６７】
従って、軽量化と製造コストの低減を図ることができるスツール１、１００を提供することができる。
【００６８】
また、本発明の実施形態に係るスツール１、１００によれば、芯材部２２の下部（図２の矢印Ｌ方向）を保護する硬質材料の保護部材（保護カバー３１ａ、３１ｂ）によって分割体２３同士を挟持しているため、分割体２３同士を挟持しつつ、着座者のつま先やかかと等、外部からの衝突が多い芯材部２２の下部を保護してスツール１、１００の美観ならびに強度を長期に保つことが出来る。
【００６９】
つまり、芯材部２２は発泡スチロール材で形成されているため、芯材部２２に他の硬質部材が衝突、つま先やかかと等が衝突した際、芯材部２２に凹みが生じてしまい製品の美観を損なう。しかし、本発明の実施形態に係るスツール１、１００のように、上記のような衝突が想定される箇所である芯材部２２の下部（図２の矢印Ｌ方向）を保護部材（保護カバー３１ａ、３１ｂ）で保護することにより、製品の美観と強度を長期間にわたって保つことができる。
【００７０】
さらに、本発明の実施形態に係るスツール１、１００によれば、保護部材（保護カバー３１ａ、３１ｂ）の少なくとも２箇所が芯材部２２の下部から上方（図２の矢印Ｕ方向）に延在させた側壁部３１ｄの上方（図２の矢印Ｕ側）に把手３２が設けられているため、スツール１、１００の移動の際に応力がかかる把手３２の強度を増加させることができる。また、上方に把手３２を設けられているためスツール１、１００を持ち上げた際のバランスを保ちやすく、長手方向（図４の矢印ＨＤ方向）に把手３２を設けられているためスツール１、１００を持ち上げ易い。
【００７１】
つまり、発泡スチロール材で形成された芯材部２２に把手３２を設けると、スツールの移動や持ち運び時に発泡スチロール部が欠けてしまう恐れがある。しかし、本発明の実施形態に係るスツール１、１００のように、硬質部材である保護部材（保護カバー３１ａ、３１ｂ）に把手３２を設けることにより、スツール１、１００を持ち上げて移動した場合のみならず、持ち上げずに引っ張りながら移動した際に応力がかかる把手３２部分の強度を増加させることができる。
【００７２】
また、本発明の実施形態に係るスツール１、１００は、スツール本体部２の長手方向（図４の矢印ＨＤ方向）に把手３２が設けられているため、スツール１、１００を持ち上げ易い。
【００７３】
また、本発明の実施形態に係るスツール１、１００によれば、芯材部２２の内部が凹形状に形成（空気孔２４ａ、２４ｂが形成）されているため、凹形状によりさらにスツール１、１００の軽量化を図ることができる。
【００７４】
さらに、本発明の実施形態に係るスツール１、１００によれば、凹形状（空気孔２４ａ、２４ｂ）に椅子部品（把手３２、低床キャスター４３）が内蔵されているため、芯材部２２の内部に形成された凹形状の空間に椅子部品を組み込むことでスツール１、１００を小型化することができる。また、スツール１、１００に低床キャスター４３を内蔵することにより、スツール１、１００を持ち上げなくとも把手３２を持って引っ張りながら移動することができる。
【００７５】
また、上述したように、本発明の実施形態に係るスツール１、１００は、芯材部２２が発泡スチロール材で形成された分割体２３を有するため、凹形状（空気孔２４ａ、２４ｂ）を形成し易くなり椅子部品を内蔵する空間をも形成し易くなる。
【００７６】
さらに、上述したように、着座者の身体の一部が接触することを想定した部位としての着座部２１と、着座者の身体の一部が接触することを想定した部位としての脚接触部２７ｂの内部にスラブウレタンＵＬが配置され、このスラブウレタンＵＬの表面に布ＣＬが張られているため（図３参照）、スツール１、１００に着座した着座者の座り心地を良くすることができる。
【００７７】
このように、本発明の実施形態に係るスツール１、１００によれば、軽量であり、かつ外部からの衝突に対する保護を適所において維持し、芯材部２２内部に空気孔２４ａ、２４ｂを設けて椅子部品を組み込み可能とし、軽量の利点を生かし、着座者の座り心地を良くして把手３２を設けたスツール１、１００を提供することができる。
【００７８】
以上、本発明のスツールを図示の実施形態に基づいて説明したが、本発明はこれに限定されるものではなく、各部の構成は、同様の機能を有する任意の構成のものに置き換えることができる。
【００７９】
例えば、上述した実施形態では、一人掛け用のスツール１の場合について説明したが、一人掛け用に限定されず、二人掛け用や三人掛け用等に適宜変更が可能である。
【００８０】
また、上述した実施形態では、芯材部２２が第一の分割体２３ａと第二の分割体２３ｂとの二分割で構成されている場合について説明したが、二分割に限定されず、四分割、八分割等、同じ金型を使用することにより形成される分割体へ適宜変更が可能である。
【００８１】
さらに、上述した実施形態では、保護カバー３１の外周部３１ｃによって楕円形状の外周にわたって保護する場合について説明したが、楕円形状の外周の一部を保護する保護カバー３１へ適宜変更が可能である。
【符号の説明】
【００８２】
１              スツール
２              スツール本体
２ａ            上面部
２ｂ            側壁部
３              保護部
４              ベース部
２１            着座部
２２            芯材部
２３            分割体
２３ａ          第一の分割体
２３ｂ          第２の分割体
２４ａ、２４ｂ  空気孔
２５            凸型接合ボス
２６            凹型接合ボス
２７ａ          保護カバー当接部
２７ｂ          脚接触部
３１ａ          第一の保護カバー
３１ｂ          第二の保護カバー
３１ｃ          外周部
３１ｄ          側壁部
３２            把手
３３            アロマユニット
３４            把手取付孔
３５            ユニット取付孔
３６            ユニット本体
３７            ラッチ受け座
３８            ユニット受けカバー
３９            プッシュラッチ
４１            ベース板
４２            吸気孔
４３            低床キャスター
４４            キャスター孔
５０            スツール（従来）
５１            キャスター（従来）
１００          スツール（他の実施形態）
１０１          転倒防止リブ（他の実施形態）
【図１】
2015085052.tif 000003
【図２】
2015085052.tif 000004
【図３】
2015085052.tif 000005
【図４】
2015085052.tif 000006
【図５】
2015085052.tif 000007
【図６】
2015085052.tif 000008
【図７】
2015085052.tif 000009
【図８】
2015085052.tif 000010